(57)【要約】【課題】現用回線での障害発生時、予備回線用ブレードからシグナリング情報を受信する準備を事前に行って、高速に回線切替えを行えるようにする。【解決手段】開示されるシグナリング処理装置１は、ノード２と現用回線４で接続された第１の処理ブレードａ１１と、ノード２と予備回線５で接続された第２の処理ブレードｂ１２とを具え、処理ブレードａ１１がＩＰノード３のシグナリング処理アプリ３１に対して、回線切替え通知によって回線切替え後の通信相手となる処理ブレードｂ１２のＩＰアドレスを通知するように構成されている。【選択図】図1
2009218757.tif 000002
【特許請求の範囲】
【請求項１】
ＳＯＮＥＴ／ＳＤＨ網とＩＰ網をインターワーキングする、ＡＰＳ(Automatic Protection Switching)機能を有するシグナリング処理装置におけるシグナリング処理手段が、
ＳＯＮＥＴ／ＳＤＨ網のノードと現用回線を使用してシグナリングデータを送受信するとともに、シグナリングアプリを有するＩＰノードともシグナリングデータを送受信する第１の処理ブレードと、
回線切替えによりＳＯＮＥＴ／ＳＤＨ網のノードからシグナリングデータを予備回線を経て受信し、シグナリングデータをＩＰパケット化して前記シグナリングアプリを有するＩＰノードに送信する第２の処理ブレードとを具えたことを特徴とするＡＰＳ機能を有するシグナリング処理装置。
【請求項２】
ＳＯＮＥＴ／ＳＤＨ網とＩＰ網をインターワーキングする、ＡＰＳ機能を有するシグナリング処理装置におけるシグナリング処理手段が、
ＳＯＮＥＴ／ＳＤＨ網のノードと現用回線を使用してシグナリングデータを送受信するとともに、シグナリングアプリを有するＩＰノードともシグナリングデータを送受信し、回線障害を検出したとき、ＩＰノードのシグナリング処理アプリに回線切替え通知で回線切替え後の通信相手となる第２の処理ブレードのＩＰアドレスを通知する第１の処理ブレードと、
回線切替えによりＳＯＮＥＴ／ＳＤＨ網のノードからシグナリングデータを予備回線を経て受信し、シグナリングデータをＩＰパケット化して前記シグナリングアプリを有するＩＰノードに送信する第２の処理ブレードとを具えたことを特徴とするＡＰＳ機能を有するシグナリング処理装置。
【請求項３】
前記第１の処理ブレードが現用回線で回線障害を検出したとき、ＳＯＮＥＴ／ＳＤＨフレームのＫＩバイト、Ｋ２バイトを用いてＳＯＮＥＴ／ＳＤＨ網のノードに回線要求を通知すると同時に、ＩＰノードに回線切替え通知を行うことを特徴とする請求項１又は２記載のＡＰＳ機能を有するシグナリング処理装置。
【請求項４】
前記第１の処理ブレードが、ＩＰパケットのパケットペイロード部に所定のフォーマットで回線切替え通知を行うことを特徴とする請求項１又は２記載のＡＰＳ機能を有するシグナリング処理装置。
【請求項５】
回線切替え通知を受信したＩＰノードのシグナリング処理アプリが、回線切替え通知のフォーマットのＩＰアドレスが自身のＩＰアドレスと同じである場合、回線切替えと判断して、回線切替え通知フォーマットの新しい通知相手のＩＰアドレスの認識を行うことを特徴とする請求項１又は２記載のＡＰＳ機能を有するシグナリング処理装置。
【請求項６】
ＳＯＮＥＴ／ＳＤＨ網とＩＰ網をインターワーキングする、ＡＰＳ機能を有するシグナリング処理装置におけるデータ処理手段が、
ＳＯＮＥＴ／ＳＤＨ網のノードと現用回線を使用してシグナリングデータを送受信するとともに、シグナリングアプリを有する他網ノードともシグナリングデータを送受信する第１の処理ブレードと、
回線切替えによりＳＯＮＥＴ／ＳＤＨ網のノードからシグナリングデータを予備回線を経て受信し、シグナリングデータをＩＰパケット化して前記シグナリングアプリを有する他網ノードに送信する第２の処理ブレードとを具えたことを特徴とするＡＰＳ機能を有するシグナリング処理装置。
【請求項７】
ＳＯＮＥＴ／ＳＤＨ網とＩＰ網をインターワーキングする、ＡＰＳ機能を有するシグナリング処理装置におけるデータ処理手段が、
ＳＯＮＥＴ／ＳＤＨ網のノードと現用回線を使用してシグナリングデータを送受信するとともに、シグナリングアプリを有する他網ノードともシグナリングデータを送受信し、回線障害を検出したとき、他網ノードのシグナリング処理アプリに回線切替え通知で回線切替え後の通信相手となる第２の処理ブレードのＩＰアドレスを通知する第１の処理ブレードと、
回線切替えによりＳＯＮＥＴ／ＳＤＨ網のノードからシグナリングデータを予備回線を経て受信し、シグナリングデータをＩＰパケット化して前記シグナリングアプリを有する他網ノードに送信する第２の処理ブレードとを具えたことを特徴とするＡＰＳ機能を有するシグナリング処理装置。
【請求項８】
前記第１の処理ブレードが現用回線で回線障害を検出したとき、ＳＯＮＥＴ／ＳＤＨフレームのＫＩバイト、Ｋ２バイトを用いてＳＯＮＥＴ／ＳＤＨ網のノードに回線要求を通知すると同時に、他網ノードに回線切替え通知を行うことを特徴とする請求項６又は７記載のＡＰＳ機能を有するシグナリング処理装置。
【請求項９】
前記第１の処理ブレードが、ＩＰパケットのパケットペイロード部に所定のフォーマットで回線切替え通知を行うことを特徴とする請求項６又は７記載のＡＰＳ機能を有するシグナリング処理装置。
【請求項１０】
回線切替え通知を受信した他網ノードのシグナリング処理アプリが、回線切替え通知のフォーマットのＩＰアドレスが自身のＩＰアドレスと同じである場合、回線切替えと判断して、回線切替え通知フォーマットの新しい通知相手のＩＰアドレスの認識を行うことを特徴とする請求項６又は７記載のＡＰＳ機能を有するシグナリング処理装置。
【請求項１１】
ＳＯＮＥＴ／ＳＤＨ網とＩＰ網をインターワーキングする、ＡＰＳ機能を有するシグナリング処理装置におけるシグナリング処理手段が、
第１の処理ブレードで、ＳＯＮＥＴ／ＳＤＨ網のノードと現用回線を使用してシグナリングデータを送受信するとともに、シグナリングアプリを有するＩＰノードともシグナリングデータを送受信し、
第２の処理ブレードで、回線切替えによりＳＯＮＥＴ／ＳＤＨ網のノードからシグナリングデータを予備回線を経て受信し、シグナリングデータをＩＰパケット化して前記シグナリングアプリを有するＩＰノードに送信することを特徴とする回線切替え方法。
【請求項１２】
ＳＯＮＥＴ／ＳＤＨ網とＩＰ網をインターワーキングする、ＡＰＳ機能を有するシグナリング処理装置におけるシグナリング処理手段が、
第１の処理ブレードで、ＳＯＮＥＴ／ＳＤＨ網のノードと現用回線を使用してシグナリングデータを送受信するとともに、シグナリングアプリを有するＩＰノードともシグナリングデータを送受信し、回線障害を検出したとき、ＩＰノードのシグナリング処理アプリに回線切替え通知で回線切替え後の通信相手となる第２の処理ブレードのＩＰアドレスを通知し、
第２の処理ブレードで、回線切替えによりＳＯＮＥＴ／ＳＤＨ網のノードからシグナリングデータを予備回線を経て受信し、シグナリングデータをＩＰパケット化して前記シグナリングアプリを有するＩＰノードに送信することを特徴とする回線切替え方法。
【請求項１３】
前記第１の処理ブレードが現用回線で回線障害を検出したとき、ＳＯＮＥＴ／ＳＤＨフレームのＫＩバイト、Ｋ２バイトを用いてＳＯＮＥＴ／ＳＤＨ網のノードに回線要求を通知すると同時に、ＩＰノードに回線切替え通知を行うことを特徴とする請求項１１又は１２記載の回線切替え方法。
【請求項１４】
前記第１の処理ブレードが、ＩＰパケットのパケットペイロード部に所定のフォーマットで回線切替え通知を行うことを特徴とする請求項１１又は１２記載の回線切替え方法。
【請求項１５】
回線切替え通知を受信したＩＰノードのシグナリング処理アプリが、回線切替え通知のフォーマットのＩＰアドレスが自身のＩＰアドレスと同じである場合、回線切替えと判断して、回線切替え通知フォーマットの新しい通知相手のＩＰアドレスの認識を行うことを特徴とする請求項１１又は１２記載の回線切替え方法。
【請求項１６】
ＳＯＮＥＴ／ＳＤＨ網とＩＰ網をインターワーキングする、ＡＰＳ機能を有するシグナリング処理装置におけるデータ処理手段が、
第１の処理ブレードで、ＳＯＮＥＴ／ＳＤＨ網のノードと現用回線を使用してシグナリングデータを送受信するとともに、シグナリングアプリを有する他網ノードともシグナリングデータを送受信し、
第２の処理ブレードで、回線切替えによりＳＯＮＥＴ／ＳＤＨ網のノードからシグナリングデータを予備回線を経て受信し、シグナリングデータをＩＰパケット化して前記シグナリングアプリを有する他網ノードに送信することを特徴とする回線切替え方法。
【請求項１７】
ＳＯＮＥＴ／ＳＤＨ網とＩＰ網をインターワーキングする、ＡＰＳ機能を有するシグナリング処理装置におけるデータ処理手段が、
第１の処理ブレードで、ＳＯＮＥＴ／ＳＤＨ網のノードと現用回線を使用してシグナリングデータを送受信するとともに、シグナリングアプリを有する他網ノードともシグナリングデータを送受信し、回線障害を検出したとき、他網ノードのシグナリング処理アプリに回線切替え通知で回線切替え後の通信相手となる第２の処理ブレードのＩＰアドレスを通知し、
第２の処理ブレードで、回線切替えによりＳＯＮＥＴ／ＳＤＨ網のノードからシグナリングデータを予備回線を経て受信し、シグナリングデータをＩＰパケット化して前記シグナリングアプリを有する他網ノードに送信することを特徴とする回線切替え方法。
【請求項１８】
前記第１の処理ブレードが現用回線で回線障害を検出したとき、ＳＯＮＥＴ／ＳＤＨフレームのＫＩバイト、Ｋ２バイトを用いてＳＯＮＥＴ／ＳＤＨ網のノードに回線要求を通知すると同時に、他網ノードに回線切替え通知を行うことを特徴とする請求項１６又は１７記載の回線切替え方法。
【請求項１９】
前記第１の処理ブレードが、ＩＰパケットのパケットペイロード部に所定のフォーマットで回線切替え通知を行うことを特徴とする請求項１６又は１７記載の回線切替え方法。
【請求項２０】
回線切替え通知を受信した他網ノードのシグナリング処理アプリが、回線切替え通知のフォーマットのＩＰアドレスが自身のＩＰアドレスと同じである場合、回線切替えと判断して、回線切替え通知フォーマットの新しい通知相手のＩＰアドレスの認識を行うことを特徴とする請求項１６又は１７記載の回線切替え方法。
【発明の詳細な説明】
【技術分野】
【０００１】
この発明は、ＡＰＳ(Automatic Protection Switching)による切り替えを行う直前に、シグナリング処理装置のＩＰ(Internet Protocol) 網側の対向ＩＰノードに、回線切替え後の処理ブレードのＩＰアドレスを通知することによって、ＡＰＳによる回線切替えを高速に行えるようにするシグナリング処理装置と回線切替え方法に関する。
【背景技術】
【０００２】
近年、シグナリング処理装置はトラフィックの増加に対応するため、高速な伝送帯域の回線インタフェースであるＳＯＮＥＴ(Synchronous Optical NETwork) ／ＳＤＨ(Synchronous Digital Hierarchy) インタフェースを持つものが増えている。このＳＯＮＥＴ／ＳＤＨインタフェースを有するシグナリング処理装置では、ＳＯＮＥＴ／ＳＤＨ網と接続している回線の信頼性、運用性の向上のためにＡＰＳ(Automatic Protection Switching)による回線切替えを行っている。
【０００３】
また、更なるトラフィックの増加に対応するため、シグナリング処理を行う処理ブレードを複数枚搭載することで処理能力を向上しているシグナリング処理装置もある。処理ブレードを複数枚搭載しているシグナリング処理装置においてＡＰＳを実現する場合、２枚の処理ブレードをセットとするＡＰＳ（１＋１）構成において、１枚を現用回線用、もう１枚を予備回線用として使用することで、現用回線に障害発生するか、または、現用回線用の処理ブレードに障害が発生した場合に予備回線に回線切替えを行っている。
【０００４】
例えば、ＡＰＳ機能を持ち、処理ブレードを複数枚搭載しているシグナリング処理装置としては、ＳＯＮＥＴ／ＳＤＨ網とＩＰ網をインターワーキングする機能を持つシグナリング処理装置がある。
【０００５】
しかしながら、従来のＳＯＮＥＴ／ＳＤＨ網とＩＰ網をインターワーキングするＡＰＳ機能を有するシグナリング処理装置においては、次のような課題がある。
【０００６】
第１の課題は、現用回線で障害が発生して予備回線に回線切替えを行う場合、ＩＰ網側のノードからみるとシグナリング処理するブレードが予備回線用の別のブレードに切替わるため、ＩＰノードとしては通信相手であるシグナリング処理装置のＩＰアドレスが変更されることである。
【０００７】
第２の課題は、ＳＯＮＥＴ／ＳＤＨのＡＰＳによる回線切替えは、シグナリング信号を処理しているアプリケーションと回線切替えのタイミング連携を取っていないため、ＡＰＳによる高速回線切替えがＩＰ網側で活用されず、回線切替えが遅くなるということである。
【０００８】
これに対して、回線障害の発生を検出する回線障害検出部と、検出した回線障害の発生を外部装置に伝送する障害時通知部と、外部装置から送信れさた回線障害時を受信する障害情報受信部と、回線障害検出部により検出された回線障害又は外部装置から送信されてきた回線障害情報に応じて予め指定された制御処理を実行する制御部と、回線障害の種別と制御部により実行される制御内容との関係を記憶した記憶部とを具える。ＵＮＩ(User Network Interface)ＩＦ(Interface) 部で障害を検出した場合、障害情報を他のプロトコル変換装置に伝達する。障害情報を受信した装置では、自装置のＵＮＩ  ＩＦ部の強制的なビットエラーの挿入や送信信号の停止、及びＬＥＤ（light Emitting Diode）等による保守者への通知等の制御を選択して行う、プロトコル変換装置及び通信システムが知られている（特許文献１参照）。
【０００９】
また、ＮＩＣ（Network Interface Card）管理手段は、登録されたＩＰアドレスを通信処理装置内の第１，第２のＮＩＣに対して割り当て、ＩＰアドレスと第１，第２のＮＩＣに割り当てられた第１，第２のＭＡＣ（Media Access Control）アドレスとの対応を、ＮＩＣ／ＩＰアドレス対応表として管理する。また、ＮＩＣ管理手段は、第１，第２のＮＩＣの障害検出機能を備え、第１，第２のＮＩＣの障害を検出したときに、ＮＩＣ／ＩＰアドレス対応表を書き換え、障害の検出された第１のＮＩＣもしくは第２のＮＩＣに割り当てられていたＩＰアドレスを他方の第２のＮＩＣもしくは第１のＮＩＣへ割り当て変える機能を有する、通信処理装置およびネットワークインタフェース切り替え方法が知られている（特許文献２参照）。
【００１０】
さらに、ホストに第１と第２の通信アダプタを接続し、ホットスタンバイシステムを構成する。ホストが第１の通信アダプタの故障を検出したとき、第１から第２の通信アダプタに切替え、ネットワークテーブル（ＡＲＰ(Adress Resolution Protcol) キャッシュ）を初期化し、第２のホストへの制御メッセージの送信を起動する。第２の通信アダプタは、ＡＲＰ要求メッセージを同報送信し、第２のホストからＡＲＰ応答メッセージを受信し，ＡＲＰ応答メッセージに含まれるアドレス情報に基づいて、前記制御メッセージを第２のホストに送信し、前記制御メッセージに対する第２のホストからの応答メッセージを受信する。これによって第１のホストは、第１から第２の通信アダプタへの切り替えが終了したと認識する、二重化された通信アダプタの切替方法、切替方式、および切替用プログラムを格納した記録媒体が知られている（特許文献３参照）。
【特許文献１】特開２００３−０１８１５９号公報
【特許文献２】特開２００３−３４８０９３号公報
【特許文献３】特開平１０−３２０３２７号公報
【発明の開示】
【発明が解決しようとする課題】
【００１１】
ＳＯＮＥＴ／ＳＤＨ網とＩＰ網をインターワーキングするシグナリング処理装置において、１ノードとして処理ブレードを複数枚搭載しているシグナリング処理装置がある。このシグナリング処理装置に搭載されている２枚の処理ブレードを１セットとしたＡＰＳ１＋１を構成する際、１枚を現用回線用、もう１枚を予備回線用として使用するが、ＳＯＮＥＴ／ＳＤＨ網の現用回線で障害が発生して予備回線に回線切替えを行うと、ＩＰ網側のノードからみるとシグナリング処理するブレードが予備回線用の別のブレードに切替わるため、シグナリング処理装置と通信しているＩＰノードとしては通信装置のＩＰアドレスが変更されることになる。
【００１２】
これに対して、既存のＡＲＰによるＩＰアドレス解決や、ＮＩＳによるアドレス管理を用いて、回線切替え後の予備回線用ブレードのIPアドレスを事前に通信相手に通知しておく方法もあるが、実際のシグナリング信号を処理しているアプリケーションと回線切替えのタイミング連携を取っていないため、ＳＯＮＥＴ／ＳＤＨのＡＰＳによる高速回線切替えがＩＰ網側に活用されず、回線切替えが遅くなるという問題がある。
【００１３】
本発明は、ＡＰＳによる回線切替えを行う直前に、シグナリング処理装置のＩＰ網側の対向ＩＰノードに回線切替え後の処理ブレードのＩＰアドレスを通知して、ＡＰＳによる回線切替えを高速に行えるシグナリング処理装置と回線切替え方法を提供することを目的としている。
【課題を解決するための手段】
【００１４】
上記課題を解決するため、この発明の第１の構成は、ＳＯＮＥＴ／ＳＤＨ網とＩＰ網をインターワーキングする、ＡＰＳ機能を有するシグナリング処理装置に係り、シグナリング処理手段が、ＳＯＮＥＴ／ＳＤＨ網のノードと現用回線を使用してシグナリングデータを送受信するとともに、シグナリングアプリを有するＩＰノードともシグナリングデータを送受信し、回線障害を検出したとき、ＩＰノードのシグナリング処理アプリに回線切替え通知で回線切替え後の通信相手となる第２の処理ブレードのＩＰアドレスを通知する第１の処理ブレードと、回線切替えによりＳＯＮＥＴ／ＳＤＨ網のノードからシグナリングデータを予備回線を経て受信し、シグナリングデータをＩＰパケット化して上記シグナリングアプリを有するＩＰノードに送信する第２の処理ブレードとを具えたことを特徴としている。
【００１５】
また、この発明の第２の構成は、ＳＯＮＥＴ／ＳＤＨ網とＩＰ網をインターワーキングする、ＡＰＳ機能を有するシグナリング処理装置に係り、データ処理手段が、ＳＯＮＥＴ／ＳＤＨ網のノードと現用回線を使用してシグナリングデータを送受信するとともに、シグナリングアプリを有する他網ノードともシグナリングデータを送受信し、回線障害を検出したとき、他網ノードのシグナリング処理アプリに回線切替え通知で回線切替え後の通信相手となる第２の処理ブレードのＩＰアドレスを通知する第１の処理ブレードと、回線切替えによりＳＯＮＥＴ／ＳＤＨ網のノードからシグナリングデータを予備回線を経て受信し、シグナリングデータをＩＰパケット化して上記シグナリングアプリを有する他網ノードに送信する第２の処理ブレードとを具えたことを特徴としている。
【００１６】
また、この発明の第３の構成は、ＳＯＮＥＴ／ＳＤＨ網とＩＰ網をインターワーキングする、ＡＰＳ機能を有するシグナリング処理装置における回線切替え方法に係り、シグナリング処理手段が、第１の処理ブレードで、ＳＯＮＥＴ／ＳＤＨ網のノードと現用回線を使用してシグナリングデータを送受信するとともに、シグナリングアプリを有するＩＰノードともシグナリングデータを送受信し、回線障害を検出したとき、ＩＰノードのシグナリング処理アプリに回線切替え通知で回線切替え後の通信相手となる第２の処理ブレードのＩＰアドレスを通知し、第２の処理ブレードで、回線切替えによりＳＯＮＥＴ／ＳＤＨ網のノードからシグナリングデータを予備回線を経て受信し、シグナリングデータをＩＰパケット化して上記シグナリングアプリを有するＩＰノードに送信することを特徴としている。
【００１７】
また、この発明の第４の構成は、ＳＯＮＥＴ／ＳＤＨ網とＩＰ網をインターワーキングする、ＡＰＳ機能を有するシグナリング処理装置における回線切替え方法に係り、データ処理手段が、第１の処理ブレードで、ＳＯＮＥＴ／ＳＤＨ網のノードと現用回線を使用してシグナリングデータを送受信するとともに、シグナリングアプリを有する他網ノードともシグナリングデータを送受信し、回線障害を検出したとき、他網ノードのシグナリング処理アプリに回線切替え通知で回線切替え後の通信相手となる第２の処理ブレードのＩＰアドレスを通知し、第２の処理ブレードで、回線切替えによりＳＯＮＥＴ／ＳＤＨ網のノードからシグナリングデータを予備回線を経て受信し、シグナリングデータをＩＰパケット化して上記シグナリングアプリを有する他網ノードに送信することを特徴としている。
【発明の効果】
【００１８】
本発明によれば、現用回線での障害発生に対して、ＡＰＳによる回線切替えを実施する直前に、シグナリング処理装置よりＩＰノードに予備回線用ブレードのＩＰアドレスを通知して、ＩＰノードのシグナリング信号を処理しているアプリケーションが回線切替え後に現用回線ブレードとなる予備回線用ブレードからシグナリング信号が含まれているＩＰパケットを受信する準備を事前に行うことによって、高速に回線切替えを行うことができる。
【００１９】
また、本発明によれば、現用回線での障害発生に対して、ＡＰＳによる回線切替えを実施する直前に、データ処理装置より他網ノードに予備回線用ブレードのＩＰアドレスを通知して、他網ノードのシグナリング信号を処理しているアプリケーションが回線切替え後に現用回線ブレードとなる予備回線用ブレードからシグナリング信号が含まれているＩＰパケットを受信する準備を事前に行うことによって、高速に回線切替えを行うことができる。
【発明を実施するための最良の形態】
【００２０】
以下、本発明を実施するための最良の形態について、図面を参照しながら詳細に説明する。
【実施形態１】
【００２１】
次に、本発明の実施の形態について図１を参照して詳細に説明する。
図１を参照すると、本発明の第１の実施形態として、シグナリング処理装置１は、処理ブレードａ１１、処理ブレードｂ１２から構成される。また、IPノード３は、シグナリング処理アプリ３１から構成される。
【００２２】
図１において、シグナリング処理装置１の処理ブレードａ１１は、ＳＯＮＥＴ／ＳＤＨ網のノード２から送信されるシグナリングデータを現用回線４を経由して受信し、終端する。また、処理ブレードａ１１はＩＰパケットにシグナリングデータをパケット化してＩＰ網のＩＰノード３に送信する。処理ブレードａ１１は、現用回線４を経由して受信するシグナリングデータから異常を検出したら現用回線４に回線障害が発生したと判断して、ＳＯＮＥＴ／ＳＤＨフレームのＫ１バイト、Ｋ２バイトを用いてノード２に回線切替え要求を送信する。同時に、処理ブレードａ１１は、ＩＰノード３に回線切替え通知にて回線切替え後の通信相手となる処理ブレードｂ１２のＩＰアドレスを送信し、また処理ブレードｂ１２にシグナリング処理を行うブレードが処理ブレードｂ１２に切替わることを切替え指示で通知する。処理ブレードｂ１２は、回線切替えによりＳＯＮＥＴ／ＳＤＨ網のノード２から送信されるシグナリングデータを予備回線５を経由して受信、終端し、ＩＰパケットにシグナリングデータをパケット化してＩＰ網のＩＰノード３に送信する。
【００２３】
ＩＰノード３のシグナリング処理アプリ３１は、シグナリング処理装置１の処理ブレードａ１１からＩＰパケットで送信されるシグナリングデータを処理する。処理ブレードａ１１から回線切替え通知を受信すると、回線切替え通知にて通知される回線切替え後の処理ブレードｂ１２のＩＰアドレスを認識し、この通知以降、回線切替え後に処理ブレードｂ１２から送信されるＩＰパケットであるかチェックし、送信ＩＰアドレスが一致する場合、処理ブレードｂ１２から送信されたシグナリングデータであることを判断し、シグナリングデータの送受信を継続する。
【００２４】
図２は、処理ブレードａ１１がＩＰノード３に送信する回線切替え通知のフォーマットを示す。処理ブレードａ１１は、ＩＰパケットのパケットペイロード部にこのフォーマットを設定して、ＩＰノード３に送信する。回線切替え通知を受信したＩＰノード３のシグナリング処理アプリ３１は、回線切替え通知のフォーマットのＩＰノードアドレスが自身のＩＰアドレスと同じである場合、回線切替え通知と判断し、回線切替え通知フォーマットの新しい通知相手のＩＰアドレスの認識を行う。
【００２５】
次に図３のシーケンスを使用して、本実施形態のシグナリング処理装置の動作について詳細に説明する。
ここではシグナリングデータの送信方向をノード２からシグナリング処理装置１、シグナリング処理装置１からＩＰノード３とした場合の動作について説明するが、逆方向のシグナリングデータも送信されている。しかし、逆方向のシグナリングデータの送信は、本発明と直接関係しないので説明を省略する。
【００２６】
まず、処理ブレードａ１１は、ＳＯＮＥＴ／ＳＤＨ網のノード２から送信されるシグナリングデータを現用回線４を経由して受信し、終端する（ステップＳ１）。処理ブレードａ１１は、現用回線４を経由して受信するシグナリングデータから異常を検出したら現用回線４に回線障害が発生したと判断して（ステップＳ２）、ＳＯＮＥＴ／ＳＤＨフレームのＫ１バイト、Ｋ２バイトを用いてノード２に回線切替え要求を送信する（ステップＳ３）。処理ブレードａ１１は、同時に、回線切替え後の通信相手となる処理ブレードｂ１２のＩＰアドレスを通知するために、ＩＰノード３に回線切替え通知を送信する（ステップＳ４）。その後、処理ブレードａ１１は、処理ブレードｂ１２にシグナリング処理を行うブレードを処理ブレードｂ１２に切替えることを切替え指示で通知する（ステップＳ５）。
【００２７】
ＳＯＮＥＴ／ＳＤＨフレームのＫ１バイト、Ｋ２バイトを用いた回線切替え要求を受信したノード２は、シグナリングデータを送信する回線を現用回線４から予備回線５に回線切替えを行う（ステップＳ６）。
【００２８】
一方、回線切替え通知を受信したＩＰノード３のシグナリング処理アプリ３１は、回線切替え通知のフォーマットのＩＰノードアドレスに自身のＩＰアドレスが設定されている場合、回線切替えが通知されたと判断して、同フォーマットの新しい通信相手のＩＰアドレスを回線切替え後の処理ブレードｂ１２のＩＰアドレスと認識し、回線切替え通知以降に処理ブレードｂ１２から送信されるシグナリングデータ受信してシグナリング処理を継続できるよう切替え処理を行う（ステップＳ７）。
【００２９】
以上説明したように、本発明の第１実施形態においては、現用回線での障害発生に対してＡＰＳによる回線切替えを実施する直前に、シグナリング処理装置よりＩＰノードに予備回線用ブレードのＩＰアドレスを通知して、ＩＰノードのシグナリング信号を処理しているアプリケーションが回線切替え後に現用回線用ブレードとなる予備回線用ブレードからシグナリング信号が含まれているＩＰパケットを受信する準備を事前に行うので、高速に回線切替えを行うことができる。
【実施形態２】
【００３０】
本発明の第２実施形態の構成を図４に示す。本実施形態は、図１に示した第１の実施例のシグナリグ処理装置１をデータ処理装置６に置き換え、ＩＰノード３とシグナリング処理アプリ３１を他網ノード７とデータ処理アプリ７１に置き換えた点で異なる。
【００３１】
図４において、データ処理装置６は、シグナリングデータ以外のデータを処理可能な処理ブレードａ６１、処理ブレードｂ６２から構成され、また、他網ノード７は、シグナリングデータ以外のデータを処理可能なデータ処理アプリ７１から構成される。
【００３２】
図４において、データ処理装置６の処理ブレードａ６１は、ＳＯＮＥＴ／ＳＤＨ網のノード２から送信されるデータを現用回線４を経由して受信し、終端する。また、処理ブレードａ６１は他網ノード７との通信で使用するプロトコルフォーマットにデータを載せて他網ノード７に送信する。処理ブレードａ６１は、現用回線４を経由して受信するデータから異常を検出したら現用回線４に回線障害が発生したと判断して、ＳＯＮＥＴ／ＳＤＨフレームのＫ１バイト、Ｋ２バイトを用いてノード２に回線切替え要求を送信する。同時に、処理ブレードａ６１は、他網ノード７に回線切替え通知にて回線切替え後の通信相手が処理ブレードｂ６２となることを通知し、また処理ブレードｂ６２にデータ処理を行うブレードが処理ブレードｂ６２に切替わることを切替え指示で通知する。
【００３３】
処理ブレードｂ６２は、回線切替えによりＳＯＮＥＴ／ＳＤＨ網のノード２から送信されるデータを予備回線５を経由して受信、終端し、他網ノード７との通信で使用するプロトコルフォーマットにデータを載せて他網ノード７に送信する。他網ノード７のデータ処理アプリ７１は、データ処理装置６の処理ブレードａ６１から送信されるデータを処理する。処理ブレードａ６１から回線切替え通知を受信すると、回線切替え通知にて通知される回線切替え後の処理ブレードｂ６２のＩＰアドレスを認識し、この通知以降、回線切替え後に処理ブレードｂ６２から送信されるデータであるかチェックし、送信ＩＰアドレスが一致する場合、処理ブレードｂ６２から送信されたデータであることを判断し、データの送受信を継続する。
【００３４】
回線切替え通知のフォーマットは第１の実施形態の図２と同じであるので説明は省略する。
【００３５】
次に第２の実施形態のデータ処理装置の動作フローを、図５を用いて詳細に説明する。
まず、処理ブレードａ６１は、ＳＯＮＥＴ／ＳＤＨ網のノード２から送信されるデータを現用回線４を経由して受信し、終端する（ステップＳ１１）。処理ブレードａ６１は、現用回線４を経由して受信するデータから異常を検出したら現用回線４に回線障害が発生したと判断して（ステップＳ１２）、ＳＯＮＥＴ／ＳＤＨフレームのＫ１バイト、Ｋ２バイトを用いてノード２に回線切替え要求を送信する（ステップＳ１３）。処理ブレードａ６１は、同時に、回線切替え後の通信相手となる処理ブレードｂ６２のＩＰアドレスを通知するために、他網ノード７に回線切替え通知を送信する（ステップＳ１４）。その後、処理ブレードａ６１は、処理ブレードｂ６２にデータ処理を行うブレードを処理ブレードｂ６２に切替えることを切替え指示で通知する（ステップＳ１５）。
【００３６】
ＳＯＮＥＴ／ＳＤＨフレームのＫ１バイト、Ｋ２バイトを用いた回線切替え要求を受信したノード２は、データを送信する回線を現用回線４から予備回線５に回線切替えを行う（ステップＳ１６）。
【００３７】
一方、回線切替え通知を受信した他網ノード７のデータ処理アプリ７１は、回線切替え通知のフォーマットのＩＰノードアドレスに自身のＩＰアドレスが設定されている場合、回線切替えが通知されたと判断して、同フォーマットの新しい通信相手のＩＰアドレスを回線切替え後の処理ブレードｂ６２のＩＰアドレスと認識し、回線切替え通知以降に処理ブレードｂ６２から送信されるデータ受信してデータ処理を継続できるよう切替え処理を行う（ステップＳ１７）。
【００３８】
以上説明したように、本発明の第２実施形態においては、現用回線での障害発生に対してＡＰＳによる回線切替えを実施する直前に、データ処理装置より他網ノードに予備回線用ブレードのＩＰアドレスを通知して、他網ノードのシグナリング信号を処理しているアプリケーションが回線切替え後に現用回線用ブレードとなる予備回線用ブレードからシグナリング信号が含まれているＩＰパケットを受信する準備を事前に行うので、高速に回線切替えを行うことができる。
【００３９】
以上、この発明の実施形態を図面により詳述してきたが、具体的な構成は上記の実施形態に限られるものではなく、この発明の要旨を逸脱しない範囲の設計の変更等があってもこの発明に含まれる。例えば、回線切替え通知のフォーマットを図２の通りとしたが、このフォーマットに限定することはなく、また、回線切替え通知で通知する情報としてＩＰアドレスを用いたが、これに限定することはない。さらに、ＩＰアドレス以外で２枚の処理ブレードと他網ノードを識別できる情報があれば、それを回線切替え通知の情報として用いてもよい。
【産業上の利用可能性】
【００４０】
この発明は、ＳＯＮＥＴ／ＳＤＨ網とＩＰ網をインターワーキングするシグナリング信号の中継装置や終端装置、ＳＯＮＥＴ／ＳＤＨ網とＩＰ網をインターワーキングするメディア信号の中継装置や終端装置、ＳＯＮＥＴ／ＳＤＨ網とＩＰ網以外のネットワーク網をインターワーキングするシグナリング信号の中継装置や終端装置、ＳＯＮＥＴ／ＳＤＨ網とＩＰ網以外のネットワーク網をインターワーキングするメディア信号の中継装置や終端装置等の場合に利用可能なものである。
【図面の簡単な説明】
【００４１】
【図１】本発明の実施形態１の構成を示すブロック図である。
【図２】処理ブレードがＩＰノードに送信する回線切替え通知のフォーマットを示す図である。
【図３】同実施形態のシグナリング処理装置の動作を説明するシーケンス図である。
【図４】本発明の実施形態２の構成を示すブロック図である。
【図５】同実施形態のシグナリング処理装置の動作を説明するシーケンス図である。
【符号の説明】
【００４２】
１    シグナリング処理装置（シグナリング処理手段）
２    ノード
３    ＩＰノード
４    現用回線
５    予備回線
６    データ処理装置（データ処理手段）
７    他網ノード
１１    処理ブレードａ
１２    処理ブレードｂ
３１    シグナリング処理アプリ
６１    処理ブレードａ
６２    処理ブレードｂ
７１    データ処理アプリ
【図１】
2009218757.tif 000003
【図２】
2009218757.tif 000004
【図３】
2009218757.tif 000005
【図４】
2009218757.tif 000006
【図５】
2009218757.tif 000007